(57)【要約】      （修正有）【課題】パソコンやその周辺機器などの電子・電気機器における電源コードや接続ケーブルなどの配線をまとめて収納する配線収納ボックスの提供。【解決手段】開閉可能な蓋部２とケース本体３とでなる配線収納ボックス１には、電子・電気機器における配線としての電源コードの先端に設けたプラグの接続を受ける複数のコンセント１４をボックス内面側に有するタップ５を備えた。このため、ボックス１内で複数のプラグを接続することができ、また長すぎて余った配線はボックス１内に収納することができる。したがって、見栄えを良くするとともに、電子・電気機器の保全性を向上することができる。【選択図】図２
0003107467.tif 000002
【実用新案登録請求の範囲】
【請求項１】
ケース本体と開閉可能な蓋部とを有し、コンピュータやその周辺機器などの電子・電気機器における電源コードや接続ケーブルなどの配線を内部に収納するボックスと、配線としての電源コードの先端に設けたプラグの接続を受ける複数のコンセントをボックス内面側に有するタップと、を備える配線収納ボックス。
【請求項２】
ケース本体と蓋部とが閉じ合わさる縁部に、蓋部の閉状態で配線を通す挿通孔を設けた請求項１記載の配線収納ボックス。
【請求項３】
蓋部が閉じ合わさるケース本体の側面に、カギ形の係合片を設け、タップの長手方向における両端面に、該係合片とスライド係合する凹状係合溝を設け、タップをケース本体に対し着脱可能とした請求項１又は請求項２記載の配線収納ボックス。
【請求項４】
前記タップにおけるボックス外面側に、各コンセントへの商用電源の供給をオン／オフするスイッチを設けた請求項１〜請求項３何れか１項記載の配線収納ボックス。
【請求項５】
前記タップにおけるボックス外面側に、外部に開口する外向きコンセントを設けた請求項１〜請求項４何れか１項記載の配線収納ボックス。
【請求項６】
前記タップにおけるボックス内面側に、配線としての電源コードの先端に設けたプラグの接続を受けるコード付きコンセントを設けた請求項１〜請求項５何れか１項記載の配線収納ボックス。
【請求項７】
前記タップにおけるボックス内面側に、ボックスの外部へ延長可能な長さでタップの各コンセントに商用電源を供給する電源コードを設けた請求項１〜請求項６何れか１項記載の配線収納ボックス。
【請求項８】
前記ボックスの内部に、配線を巻き付け可能な仕切壁を設けた請求項１〜請求項７何れか１項記載の配線収納ボックス。
【請求項９】
前記ボックスの内部に、ケース本体に配線を固定するバンドを設けた請求項１〜請求項８何れか１項記載の配線収納ボックス。
【考案の詳細な説明】
【技術分野】
【０００１】
本考案は、コンピュータやその周辺機器などの電子・電気機器における電源コードや接続ケーブルを収納するための配線収納ボックスに関する。
【背景技術】
【０００２】
コンピュータ技術の進展によってパソコンが安価になり、通信技術の進展によってインターネットが普及してくると、会社や学校だけでなく各個人でもパソコンを所有し、自宅内にパソコンを設置した家庭が増えてきた。また、コンピュータの普及とともに、コンピュータ本体だけでなくインターネット利用のためのモデムやルータ、ターミナルアダプターなどの通信機器や、プリンターやスキャナー等の周辺機器も併せて家庭内に設置される場合が多くなってきた。
【０００３】
このようなパソコンやその周辺機器（以下まとめて「機器」という）にはそれぞれに電源をとるための電源コードが必要であり、また、機器間を繋ぐ接続ケーブルが必要な場合がある。そのため、機器が増えるにつれて電源コードや接続ケーブル等（以下まとめて「配線」という）の数や種類も増加する。また、機器ごとに配線の長さが異なることや、家庭用コンセントには数に限りがあることから、機器のプラグと家庭用コンセントとをタップを用いて繋いでいる場合が多い。
【０００４】
配線の数が少ない場合は、電源から各機器まで無雑作に床面を這わせそのまま放置しておいてもそれほど問題とはならない。しかし、その数が多くなると、複数の配線が複雑に絡み合い美観を損ねるし、埃が溜まりやすく掃除もしにくくなる。また、配線に足を引っかけることで、機器の転倒、損傷、コンセントからの抜け落ちなどが問題になる。そのため、通常は余分な長さの配線の部分を結束バンド等で束ね、ある程度は纏まりよくすることができるが、それでも上記問題の解決にはほとんど役に立つものではなかった。そして、この問題を解決するような先行技術文献も見あたらない。
【考案の開示】
【考案が解決しようとする課題】
【０００５】
以上のような問題の存在を背景になされたのが本考案であり、その目的は、コンピュータやその周辺機器などの電子・電気機器における電源コードや接続ケーブルなどの配線や、タップなどを上手に取りまとめ、見映えが良く、安全な環境を提供することにある。
【課題を解決するための手段】
【０００６】
上記目的を達成すべく本考案は、ケース本体と開閉可能な蓋部とを有し、コンピュータやその周辺機器などの電子・電気機器における電源コードや接続ケーブルなどの配線を内部に収納するボックスと、配線としての電源コードの先端に設けたプラグの接続を受ける複数のコンセントをボックス内面側に有するタップと、を備える配線収納ボックスを提供する。
【０００７】
本考案の配線収納ボックスは、ケース本体と開閉可能な蓋部とを有しコンピュータやその周辺機器などの電子・電気機器における電源コードや接続ケーブルなどの配線を内部に収納するボックスと、配線としての電源コードの先端に設けたプラグの接続を受ける複数のコンセントをボックス内面側に有するタップと、を備えたため、ボックス内でコンピュータやその周辺機器に繋がったプラグを接続することができ、長すぎて余った配線はボックス内に収納することができる。そのため、別途タップを準備することが不要となって、タップとプラグの接続部分や、余分な配線の結束部分などがボックス内に隠れ大変見栄えが良いものとなる。また、余分な配線が場所をとることもなく、コンピュータ周辺の掃除も簡単になるし、コンセントとプラグの接続部分や配線が、ボックス内に収容されるためゴミや埃がたまりにくく、感電や火災などの心配も不要になる。さらに、ボックス外で配線に足を引っかけたような場合であっても、ボックス内で引張り力が分散されるため、コンセントからのプラグの引き抜きが起こりにくくなる。そして、ケース本体に対して蓋部が開閉可能なため、配線の取り込み、取り纏めを簡単に行うことができる。
【０００８】
前記本考案の配線収納ボックスは、ケース本体と蓋部とが閉じ合わさる縁部に、蓋部の閉状態で配線を通す挿通孔を設けたものとして構成できる。ケース本体と蓋部とが閉じ合わさる縁部に、蓋部の閉状態で配線を通す挿通孔を設けたため、配線を収納する蓋部を開いた状態では、ケース本体と蓋部とが閉じ合わさる縁部に配線を置くだけで良く、配線を一本づつ挿通孔に通す作業が不要となる。そのため、収納作業が容易である。通常は、ケース本体と蓋部とが閉じ合わさる縁部に切欠状の割り孔を設けておき、その割り孔に配線を押し込むようにする。割り孔はケース本体と蓋部のどちらに設けておいても良く、また双方に設けておくことも可能である。配線を収納した後、蓋部をとじ合わせれば割り孔が挿通孔となる。挿通孔はプラグが通る大きさとする必要がなく、配線の太さとほぼ同程度の大きさの挿通孔とすることができるため、挿通孔からの埃などの進入をほとんど防止することができる。
【０００９】
本考案の配線収納ボックスは、蓋部が閉じ合わさるケース本体の側面に、カギ形の係合片を設け、タップの長手方向における両端面に、該係合片とスライド係合する凹状係合溝を設け、タップをケース本体に対し着脱可能とすることができる。タップをケース本体に対し着脱可能としたため、万が一、コンセントの一つに不具合がある場合には、別のタップに容易に交換することができる。また、ボックスだけは共通にしておき、国によってコンセントの数や形状が異なるタップを取り付けることもできるため、商品在庫を減らすことができる。また、蓋部が閉じ合わさるケース本体の側面に、カギ形の係合片を設け、タップの長手方向における両端面に、該係合片とスライド係合する凹状係合溝を設けたため、ボックスとタップとの接続具が不要である。また、着脱を簡単に行うことができる。
【００１０】
本考案の配線収納ボックスは、前記タップにおけるボックス外面側に、各コンセントへの商用電源の供給をオン／オフするスイッチを設けたものとして構成できる。タップにおけるボックス外面側に、各コンセントへの商用電源の供給をオン／オフするスイッチを設けたので、ボックスの外面側から、各コンセントごとに商用電源との導通をオン／オフする操作が可能となる。そのため、機器ごとに待機電力の無駄を省くことができる。このスイッチには、それを覆って保護するスイッチカバーを設けることもできる。このスイッチカバーを設ければ、誤ってスイッチを操作してしまう不都合を無くし、また、スイッチへの埃の付着を防止することができる。
【００１１】
本考案の配線収納ボックスは、前記タップにおけるボックス外面側に、外部に開口する外向きコンセントを設けたものとすることができる。タップにおけるボックス外面側に、外部に開口する外向きコンセントを設けたため、普段はあまり使用しない電気機器などを利用する場合に便利である。
【００１２】
本考案の配線収納ボックスは、前記タップにおけるボックス内面側に、配線としての電源コードの先端に設けたプラグの接続を受けるコード付きコンセントを設けたものとすることができる。タップにおけるボックス内面側に、配線としての電源コードの先端に設けたプラグの接続を受けるコード付きコンセントを設けたため、タップに直に接続するには困難な大型アダプターの接続が可能となる。また、アース端子を備えたコンセントなど、種々のプラグに対応可能なコンセントとすることができる。また、コード付きであるため、ボックス内を動かすことができ、ボックス内の適当な位置で大型アダプターやプラグと接続ができるため、ボックス内を効率的に使用することが可能となる。
【００１３】
また、本考案の配線収納ボックスは、前記タップにおけるボックス内面側に、ボックスの外部へ延長可能な長さでタップの各コンセントに商用電源を供給する電源コードを設けたものとして構成できる。タップにおけるボックス内面側に、ボックスの外部へ延長可能な長さでタップの各コンセントに商用電源を供給する電源コードを設けたため、この電源コードが、室内の電源コンセントの位置との関係で長すぎるような場合には、この電源コードも配線収納ボックス内に収納することができる。
【００１４】
さらに、本考案の配線収納ボックスは、前記ボックスの内部に、配線を巻き付け可能な仕切壁を設けたものとして構成できる。ボックスの内部に、配線を巻き付け可能な仕切壁を設けたため、配線の数、量が少ない場合でも効率良く収納することができる。また、余分な配線を束ねることなく仕切壁に沿わせて巻き付けることができるため、収納が簡単である。
【００１５】
そして、本考案の配線収納ボックスは、前記ボックスの内部に、ケース本体に配線を固定するバンドを設けたものとすることができる。ボックスの内部に、ケース本体に配線を固定するバンドを設けたため、ボックス内の隙間で配線が動いてしまうことを防止して、収納状態を維持することができる。特に、配線収納ボックスを縦置きにして用いる場合でも、収納している配線や大型アダプターを固定することができる。
【考案の効果】
【００１６】
本考案の配線収納ボックスによれば、コンピュータやその周辺機器などの電子・電気機器における電源コードや接続ケーブルなどの配線を収納することができ、見映えを良くし、コンピュータやその周辺機器などの電子・電気機器の保全性を向上することが可能である。
【考案を実施するための最良の形態】
【００１７】
以下、本考案の実施形態について図面を参照しつつ説明する。
【００１８】
一実施形態〔図１〜図７〕；  本考案の一実施形態における配線収納ボックス１（以降「収納ボックス」ともいう）を図１〜図７に示す。この収納ボックス１は、図１の斜視図で示すように、いずれも硬質樹脂でなる蓋部２とケース本体３とで形成される箱形の外形を有し、上側面１ａ、底側面１ｂ、表側面１ｃ、裏側面１ｄ、右側面１ｅ、左側面１ｆでボックスを形成している。そして、この収納ボックス１の底側面１ｂで蓋部２とケース本体３とがまち４を介して一体に成形されて、図２で示すように開くようになっている。一方、収納ボックス１の上側面１ａには、図２や図３で示すように、蓋部２側にフック２ａが、ケース本体３側に突起３ａが形成されており、フック２ａと突起３ａを重ね合わせることで容易に開口しないようになっている。
【００１９】
図１や図４で示すように、収納ボックス１の表側面１ｃからは、後に説明するタップ５に設けられたスイッチ６や外向きコンセント７が認められる。また、スイッチ６を保護するための透明な硬質樹脂でなるスイッチカバー８が設けられている。
【００２０】
収納ボックス１の左側面１ｆには、図１や図５で示すように、複数の長丸形状の放熱孔９が形成されており、収納ボックス１内部に発生した熱を放射孔９を通じて発散できるようになっている。また、左側面１ｆの四隅には円柱状の凸部１０があり、左側面１ｆを底にして収納ボックス１を用いても放熱孔９が塞がれないようになっている。収納ボックス１の右側面１ｅも左側面１ｆとほぼ同様の形状をしている。
【００２１】
収納ボックス１の裏側面１ｄには、図２や図６で示すように、機器につながる配線を挿入するための複数の挿通孔１１が形成されている。この挿通孔１１は、図２で示すように、蓋部２とケース本体３とが閉じ合わさる縁部２ｂ，３ｂに半円状の割り孔１１ａが形成されているが、フック２ａを閉めて蓋部２を閉状態とすると円形の挿通孔１１となる。
【００２２】
収納ボックス１の底側面１ｂは、図１や図７で示すように、底側面１ｂの短手方向に向かう棒状の脚部１２が形成され、底側面１ｂを底にして収納ボックス１を立てて用いることができるようになっている。
【００２３】
収納ボックス１の内部を見ると、図２で示すように、ボックスの表側面１ｃにタップ５が嵌めこまれており、右側面１ｅまたは左側面１ｆから垂直に伸びる仕切壁１３が設けられているものの、内部が空洞になっている。
【００２４】
タップ５は、複数のコンセントを一部材にまとめた構造体であり、略直方体の形状を有し、ケース本体３に対して着脱可能に取り付けられている。図８には、タップ５がケース本体３に取り付けられた図２に示す状態において、タップ５の両端面５ａ，５ｂとケース本体３との接合部分を拡大して上から見た図を示した。この図８で示すように、ボックス側には、蓋部２が閉じ合わさるケース本体３の側面、換言すればボックスの表側面１ｃを形成するケース本体３側の部位にカギ形の係合片３ｃが設けられており、一方、タップ５側には、タップ５の長手方向における両端面５ａ，５ｂに、係合片３ｃとスライド係合する凹状係合溝５ｇが設けられている。そして、表側面１ｃに設けられた係合片３ｃにタップ５の凹状係合溝５ｇがスライド係合されて、収納ボックス１の表側面１ｃに、タップ５の表面が表出するように装着されている。
【００２５】
このタップ５には、収納ボックス１の内面側に向く４つのコンセント１４（以下「内向きコンセント」ともいう）を有し、各内向きコンセント１４はそれぞれ等間隔に設けられている。また、タップ５の側面５ｅには電源コード１５ａを有するコード付きコンセント１５が形成されている。また、タップ５の表面には、４つの内向きコンセント１４と、１つのコード付きコンセント１５に対してそれぞれ対応する５つのスイッチ６が設けられている。そしてこのスイッチ６の下方には、外向きコンセント７が設けられている。さらに、タップ５の底面５ｂからはタップ５の各コンセント７，１４，１５にプラグ１６を通じて商用電源を供給する電源コード１６ａが繋がっている。
【００２６】
ケース本体３の内側には、上側面１ａ、裏側面１ｄ、底側面１ｂのそれぞれに略並行となるようにして右側面１ｅから内側に垂直に突出した仕切壁１３が形成されている。該仕切壁１３は、上側面１ａ、裏側面１ｄ、底側面１ｂのそれぞれに対して適度な間隔を開けて、これらの側面に平行に、かつ複数形成されている。しかしながら、内向きコンセント１４への図外プラグの差込スペースを残すべく、タップ５の近傍には仕切壁１３は形成されていない。また、蓋部２の内側にもケース本体３の内側と同様に仕切壁１３が形成されている。
【００２７】
さらに、ケース本体３の内側の四隅からは、対角線状にゴムバンド１７が伸びて中央部分の留め具１８で左右のゴムバンド１７が連結されるようになっている。
【００２８】
そのほか、タップ５には、雷ガードや、過電流防止ブレーカーを備えたものを用いることができる。これによれば機器の保全性を向上することができる。また、タップ５から伸びたプラグ１６を、絶縁カバーを備えたものとすれば、トラッキング現象による火災防止効果が得られる。このプラグ１６は、その差込片１６ｂを１８０°回転式にすれば、隙間がほとんどない家具に隠れた電源コンセントにプラグ１６を差し込むことができる。プラグ１６に通じる電源コード１６ａは、タップ５に高電流が流れるため、導線を二重被覆した構造のものを用いると良い。
【００２９】
次に本実施形態による配線収納ボックス１の使い方とその作用について説明する。
【００３０】
図９で示すように、パソコン本体やディスプレー、プリンターなどに繋がった電源コード１０１は、収納ボックス１の内部に引き入れ、電源コード１０１の先端にあるプラグ１０２を内向きコンセント１４に挿入する。長すぎて余分になる電源コード１０１は適当な大きさにまとめて収納ボックス１内に束ねておく。このようにして、内向きコンセント１４の数に応じた電源コード１０１を収納することができる。この際、蓋部２とケース本体３とはまち４で繋がっているにすぎないため、ケース本体３に対して蓋部２を略１８０度開けることができるので、収納作業が容易である。
【００３１】
電源コード１０１が数多くある場合には、図１０で示すように、別途、一般的に用いられるタップ１０３を用意し、そのタップ１０３のプラグ１０４を内向きコンセント１４に挿入して用いることができる。このようにすると、タップ１０３のコンセントに電源コード１０１に繋がったプラグ１０２を差し込んで用いることもできる。挿通孔１１は内向きコンセント１４よりも多く設けているため、このような利用も可能である。
【００３２】
大型アダプター１０５を用いる場合は、内向きコンセント１４に挿入することができなかったり、他の内向きコンセント１４を塞いでしまったりすることがあるため、そのような場合には、図１１で示すように、大型アダプター１０５をコード付きコンセント１５に接続して用いることができる。コード付きコンセント１５は、電源コード１５ａを有するため、ボックス内を移動させることができ、大型アダプター１０５と接続してボックス内の任意の箇所で収納することができる。
【００３３】
以上、機器に電気を取り入れるためのプラグに繋がる電源コード１０１について説明したが、このような電源コード１０１だけでなく、パソコン間を結ぶ接続ケーブルや、ルータ１０６やターミナルアダプターなどの機器に接続する接続ケーブル１０７も収納することができる。ルータ１０６などが小型の場合は、図１２で示すように、これらの機器ごと収納ボックス１内に収納することもできる。
【００３４】
本考案の収納ボックス１は、タップ５を備えた構成のため、電源コード１０１だけでなく、プラグ１０２と内向きコンセント１４の接続部分もボックス内に隠れ、たいへん見栄えが良くなる。また、タップ５があるため、別途タップを準備することは概ね不要であるし、必要となる場合であっても、上述のようにボックス内に収納可能なため、見苦しいタップによる接続が露出することはない。また、大型アダプター１０５がある場合でも内向きコンセント１４に差し込むことができなければコード付きコンセント１５に差し込むことができるため、コード類を全て収納することができる。
【００３５】
また、電源コード１０１は、ボックス内でまとめられて、内向きコンセント１４やコード付きコンセント１５と接続しているため、ボックス外の部分で電源コード１０１に足が取られるようなことがあり、電源コード１０１が引っ張られたとしても、その力が直接的にはプラグ１０２まで伝わらず内向きコンセント１４からプラグ１０２が抜けにくい。
【００３６】
収納ボックス１の内部で束ねられた余分な電源コード１０１は、仕切壁１３で囲まれた空間内にまとめることができる。また、電源コード１０１を束ねて中央部分に収納する他、仕切壁１３の周りに沿わせて収納することもできる。仕切壁１３は、隣接する仕切壁１３間に隙間を形成しているため、電源コード１０１の長さに応じて、適宜この隙間に配線を通すことで、仕切壁１３の周りに遊びなく巻き付けることができる。
【００３７】
電源コード１０１の収納の際には、ゴムバンド１７の留め具１８を外しておけば収納が容易で、その後、留め具１８で左右のゴムバンド１７を連結すれば、ケース本体３側に押圧された状態で電源コード１０１を保持できるため、収納ボックス１を開いた場合でもあふれ出ることがないし、収納ボックス１を縦置きした場合でも電源コード１０１が収納ボックス１内でばらばらになりにくい。
【００３８】
実施形態の変形例；  本実施形態については次に示すような変更が可能である。
【００３９】
上記実施形態では箱形のボックスを有し、収納ボックス１をパソコン棚や足下に置くのに便利であったが、デザイン性をさらに追求すれば、箱形でなくとも円柱状や球状の外形であってもよい。また、ボックス内部に収容するタップ５も一つではなく、２つ以上にしても良い。
【００４０】
上記実施形態では蓋部２とケース本体３とを重ねて１つの内部空間が生じるようにしていたが、ケース本体３側と同様に蓋部２側にもタップ５を設けて、蓋部２側、ケース本体３側に別個に電源コード１０１やアダプター、小型機器などを収納するようにしても良い。この場合には、蓋部２側とケース本体３側とを仕切る間仕切り板などを設けると良い。
【００４１】
プラグ１６に繋がった電源コード１６ａはタップ５の底面５ｂから、また、コード付きコンセント１５に繋がった電源コード１５ａはタップ５の側面５ｅから各々突き出すように形成していたが、互いに同じ面から突き出すようにしても良く、あるいは、タップ５の上面にスペースを開けて、そちらの面から突き出すように構成しても良い。
【００４２】
上記実施形態では、配線をボックス内で押さえつけて保持するためにゴムバンド１７を用いていたが、樹脂ベルトなどを用いて締め付けるようにしても良い。
【図面の簡単な説明】
【００４３】
【図１】本実施形態による配線収納ボックスの斜視図。
【図２】図１の配線収納ボックスを開いた状態を示す斜視図。
【図３】図１の平面図。
【図４】図１の正面図。
【図５】図１の左側面図。
【図６】図１の背面図。
【図７】図１の底面図。
【図８】タップとケース本体との係合状態を示す拡大図。
【図９】本実施形態による配線収納ボックスの使用状態を示す内部図。
【図１０】本実施形態による配線収納ボックスの別の使用状態を示す内部図。
【図１１】本実施形態による配線収納ボックスのさらに別の使用状態を示す内部図。
【図１２】本実施形態による配線収納ボックスのさらにまた別の使用状態を示す内部図。
【符号の説明】
【００４４】
１      配線収納ボックス（収納ボックス）
１ａ      上側面
１ｂ      底側面
１ｃ      表側面
１ｄ      裏側面
１ｅ      右側面
１ｆ      左側面
２      蓋部
２ａ      フック
２ｂ      縁部
３      ケース本体
３ａ      突起
３ｂ      縁部
３ｃ      係合片
４      まち
５      タップ
５ａ      上面
５ｂ      底面
５ｅ      側面
５ｇ      凹状係合溝  
６      スイッチ
７      外向きコンセント
８      スイッチカバー
９      放熱孔
１０      凸部
１１      挿通孔
１１ａ      割り孔
１２      脚部
１３      仕切壁
１４      内向きコンセント
１５      コード付きコンセント
１５ａ      電源コード
１６      プラグ
１６ａ      電源コード
１６ｂ      差入片
１７      ゴムバンド
１８      留め具
１０１      電源コード
１０２，１０４      プラグ
１０３      タップ
１０５      大型アダプター
１０６      ルータ
１０７      接続ケーブル
【図１】
0003107467.tif 000003
【図２】
0003107467.tif 000004
【図３】
0003107467.tif 000005
【図４】
0003107467.tif 000006
【図５】
0003107467.tif 000007
【図６】
0003107467.tif 000008
【図７】
0003107467.tif 000009
【図８】
0003107467.tif 000010
【図９】
0003107467.tif 000011
【図１０】
0003107467.tif 000012
【図１１】
0003107467.tif 000013
【図１２】
0003107467.tif 000014